(57)【要約】【課題】１つの駆動手段で揺動と伸縮とを行う可動役物装置を備えたパチンコ遊技機を提供する。【解決手段】モータ３１が第１の揺動部材５０を駆動し、第１の揺動部材５０が単独揺動開始位置から連結位置まで揺動する間、第２の揺動部材４０の揺動が規制されることにより、第１のピニオン５３が回転して、従動する第２のピニオン５４が役物部７０をスライドさせ、第１の揺動部材５０が連結位置に達したときに第２の揺動部材４０と連結され、第１の揺動部材５０が連結解除位置まで逆方向に揺動する間、連結が保持されることにより、第１のピニオン５３が回転せず、第１の揺動部材５０が連結解除位置に達したときに連結が解除されて、コイルばね３３により第２の揺動部材５０が初期位置まで揺動することにより、第１のピニオン５３が逆回転して、従動する第２のピニオン５４が役物部７０が逆方向にスライドさせる可動役物装置３を備えたパチンコ遊技機。【選択図】図３
2010284427.tif 000002
【特許請求の範囲】
【請求項１】
可動役物装置を備えたパチンコ遊技機であって、
前記可動役物装置が、
駆動手段と、
前記駆動手段により、所定の軸を中心として、第１の位置と第２の位置との間で揺動する第１の揺動部材と、
前記軸を中心とする円弧状の第１のラック部が形成され、前記軸を中心として揺動する第２の揺動部材と、
前記第１の揺動部材に取り付けられて、前記第１のラック部に噛み合う第１のピニオンと、
前記第１の揺動部材にスライド可能に装着された役物部であって、前記第１のピニオン、または、前記第１の揺動部材に取り付けられて前記第１のピニオンに従動する第２のピニオン、に噛み合う第２のラック部が該スライド方向に沿って形成された役物部と、
前記第２の揺動部材を前記第１の揺動部材に対する所定の初期位置まで揺動させる弾性手段と、
前記第１の揺動部材と前記第２の揺動部材とを連結する連結手段と、
を備え、
前記第１の揺動部材が、前記第１の位置と同位置または前記第１の位置と前記第２の位置との間にある、所定の単独揺動開始位置から、前記第２の位置と同位置または前記単独揺動開始位置と前記第２の位置との間にある、所定の連結位置まで揺動する間、前記第２の揺動部材の揺動が規制されることにより、前記第１のピニオンが回転しつつ前記第１のラック部を所定の方向に移動し、
前記第１の揺動部材が前記単独揺動開始位置から前記連結位置に達したときに、前記連結手段により前記第１の揺動部材と前記第２の揺動部材とが連結され、
前記第１の揺動部材が、前記連結位置から、前記第１の位置と同位置または前記第１の位置と前記単独揺動開始位置との間にある、所定の連結解除位置まで揺動する間、前記第１の揺動部材と前記第２の揺動部材との連結が保持されることにより、前記第２の揺動部材が前記第１の揺動部材と共に揺動して、前記第２の揺動部材の前記第１の揺動部材に対する位置が変わらず、
前記第１の揺動部材が前記連結解除位置に達したときに、前記連結が解除されて、前記弾性手段により前記第２の揺動部材が前記初期位置まで揺動することにより、前記第１のピニオンが回転しつつ前記第１のラック部を前記所定の方向とは逆方向に移動するように構成されていることを特徴とするパチンコ遊技機。
【請求項２】
前記連結手段が、
前記第２の揺動部材に設けられた係着部と、
前記第１の揺動部材に設けられ、一方の揺動端部に前記係着部に係着される被係着部を有した第３の揺動部材と、
前記被係着部を前記係着部に係着する方向に前記一方の揺動端部を付勢する付勢手段と、
を備えて構成され、
前記第３の揺動部材の他方の揺動端部を押圧することにより、前記付勢手段による付勢力に抗して前記被係着部を前記係着部から外す押圧手段を備え、
前記第１の揺動部材が前記単独揺動開始位置から前記連結位置に達したときに、前記一方の揺動端部が前記係着部に重なって、前記付勢手段により前記被係着部が前記係着部に係着されることにより、前記第１の揺動部材と前記第２の揺動部材とが連結され、
前記連結解除位置において、前記押圧手段により前記他方の揺動端部が押圧されて、前記被係着部が前記係着部から外れることにより、前記連結が解除されるように構成されていることを特徴とする請求項１記載のパチンコ遊技機。
【請求項３】
前記連結手段が、
前記第１の揺動部材と前記第２の揺動部材の一方に設けられ、永久磁石を備えた吸着部と、
前記第１の揺動部材と前記第２の揺動部材の他方に設けられ、前記永久磁石に磁力で吸着される被吸着部と、
を備えて構成され、
前記連結位置において、前記吸着部と前記被吸着部とが接触することにより、前記第１の揺動部材と前記第２の揺動部材とが連結され、
前記連結解除位置において、前記第２の揺動部材の揺動が規制されることにより、前記吸着部と前記被吸着部とが離れて、前記連結が解除されるように構成されていることを特徴とする請求項１記載のパチンコ遊技機。
【発明の詳細な説明】
【技術分野】
【０００１】
本発明は、1つの駆動手段で複数種類の動作が可能な可動役物を備えたパチンコ遊技機に関する。
【背景技術】
【０００２】
下記特許文献１には、１つの駆動手段で揺動と屈曲とを行う可動役物を備えたパチンコ遊技機が記載されている。
【先行技術文献】
【特許文献】
【０００３】
【特許文献１】特開２００８−１３０８２号公報
【発明の概要】
【発明が解決しようとする課題】
【０００４】
しかし、１つの駆動手段で揺動と伸縮とを行う可動役物は無く、役物に揺動と伸縮とを行わせようとすると複数の駆動手段を使わざるを得ず、装置が大きくなってしまったり、製造コストが高くなってしまったりするという問題があった。
【０００５】
本発明は、上述した問題を解決するものであり、１つの駆動手段で揺動と伸縮とを行う可動役物装置を備えたパチンコ遊技機を提供することを目的とする。
【課題を解決するための手段】
【０００６】
本発明のパチンコ遊技機は、可動役物装置を備えたパチンコ遊技機であって、前記可動役物装置が、駆動手段と、前記駆動手段により、所定の軸を中心として、第１の位置と第２の位置との間で揺動する第１の揺動部材と、前記軸を中心とする円弧状の第１のラック部が形成され、前記軸を中心として揺動する第２の揺動部材と、前記第１の揺動部材に取り付けられて、前記第１のラック部に噛み合う第１のピニオンと、前記第１の揺動部材にスライド可能に装着された役物部であって、前記第１のピニオン、または、前記第１の揺動部材に取り付けられて前記第１のピニオンに従動する第２のピニオン、に噛み合う第２のラック部が該スライド方向に沿って形成された役物部と、前記第２の揺動部材を前記第１の揺動部材に対する所定の初期位置まで揺動させる弾性手段と、前記第１の揺動部材と前記第２の揺動部材とを連結する連結手段と、を備え、前記第１の揺動部材が、前記第１の位置と同位置または前記第１の位置と前記第２の位置との間にある、所定の単独揺動開始位置から、前記第２の位置と同位置または前記単独揺動開始位置と前記第２の位置との間にある、所定の連結位置まで揺動する間、前記第２の揺動部材の揺動が規制されることにより、前記第１のピニオンが回転しつつ前記第１のラック部を所定の方向に移動し、前記第１の揺動部材が、前記単独揺動開始位置から前記連結位置に達したときに、前記第１の揺動部材と前記第２の揺動部材とが前記連結手段により連結され、前記第１の揺動部材が、前記連結位置から、前記第１の位置と同位置または前記第１の位置と前記単独揺動開始位置との間にある、所定の連結解除位置まで揺動する間、前記第１の揺動部材と前記第２の揺動部材との連結が保持されることにより、前記第２の揺動部材が前記第１の揺動部材と共に揺動して、前記第２の揺動部材の前記第１の揺動部材に対する位置が変わらず、前記第１の揺動部材が前記連結解除位置に達したときに、前記連結が解除されて、前記弾性手段により前記第２の揺動部材が前記初期位置まで揺動することにより、前記第１のピニオンが回転しつつ前記第１のラック部を前記所定の方向とは逆方向に移動するように構成されていることを特徴とする。
【０００７】
本発明によれば、まず、駆動手段により第１の揺動部材が単独揺動開始位置から連結位置まで揺動する間、第１のピニオンが回転しつつ第１のラック部を所定の方向に移動する。このため、第１のピニオンまたは第１のピニオンに従動する第２のピニオンに噛み合う第２のラック部が形成された役物部は、第１の揺動部材に対してスライドする。このスライド方向を第１の揺動部材から外方に突出する方向とすれば、役物部は、第１の揺動部材と共に揺動しつつ、徐々に突出する（伸びる）こととなる。
【０００８】
そして、第１の揺動部材が連結位置に達したときに、第１の揺動部材と第２の揺動部材とが連結されて、駆動手段により第１の揺動部材が連結位置から、連結位置と第２の位置とが異なる場合には第２の位置を経て、連結解除位置まで揺動する間、第２の揺動部材の第１の揺動部材に対する位置が変わらないので、第１のピニオンは回転しない。このため、上記のようにスライド方向を定めた場合には、役物部は最も伸びた状態を保持したまま、逆方向に揺動することとなる。
【０００９】
さらに、第１の揺動部材が連結解除位置に達したときに、第１の揺動部材と第２の揺動部材との連結が解除されて、弾性手段により第２の揺動部材が第１の揺動部材に対する初期位置まで戻されるので、第１のピニオンが回転しつつ上記所定の方向とは逆方向に移動し、役物部は第１の揺動部材に対して上記スライド方向とは逆方向にスライドする。このため、上記のようにスライド方向を定めた場合には、役物部は第１の揺動部材の方へ引っ込む（縮む）こととなる。
【００１０】
このように、本発明によれば、１つの駆動手段で役物部が揺動と伸縮とを行う可動役物装置を備えたパチンコ遊技機を提供可能である。
【００１１】
ここで、前記連結手段が、前記第２の揺動部材に設けられた係着部と、前記第１の揺動部材に設けられ、一方の揺動端部に前記係着部に係着される被係着部を有した第３の揺動部材と、前記被係着部を前記係着部に係着する方向に前記一方の揺動端部を付勢する付勢手段と、を備えて構成され、前記第３の揺動部材の他方の揺動端部を押圧することにより、前記付勢手段による付勢力に抗して前記被係着部を前記係着部から外す押圧手段を備え、前記第１の揺動部材が前記単独揺動開始位置から前記連結位置に達したときに、前記一方の揺動端部が前記係着部に重なって、前記付勢手段により前記被係着部が前記係着部に係着されることにより、前記第１の揺動部材と前記第２の揺動部材とが連結され、前記連結解除位置において、前記押圧手段により前記他方の揺動端部が押圧されて前記被係着部が前記係着部から外れることにより、前記連結が解除されるように構成されていることとしてもよい。
【００１２】
また、前記連結手段が、前記第１の揺動部材と前記第２の揺動部材の一方に設けられ、永久磁石を備えた吸着部と、前記第１の揺動部材と前記第２の揺動部材の他方に設けられ、前記永久磁石に磁力で吸着される被吸着部と、を備えて構成され、前記連結位置において、前記吸着部と前記被吸着部とが接触することにより、前記第１の揺動部材と前記第２の揺動部材とが連結され、前記連結解除位置において、前記第２の揺動部材の揺動が規制されることにより、前記吸着部と前記被吸着部とが離れて、前記連結が解除されるように構成されていることとしてもよい。
【発明の効果】
【００１３】
本発明のパチンコ遊技機によれば、１つの駆動手段で役物部が揺動と伸縮とを行う可動役物装置を備えたパチンコ遊技機を提供可能である。
【図面の簡単な説明】
【００１４】
【図１】本発明の第１実施形態に係るパチンコ遊技機の正面図である。
【図２】第１実施形態に係る電気系統のブロック図である。
【図３】第１実施形態に係る可動役物装置の分解斜視図である。
【図４】第１の揺動部材が第１の位置にあるときの同可動役物装置の正面図である。
【図５】図４のV-V部位端面図である。
【図６】第１の揺動部材が単独揺動開始位置にあるときの同可動役物装置の正面図である。
【図７】第１の揺動部材が単独揺動の途中にあるときの同可動役物装置の正面図である。
【図８】第１の揺動部材が連結位置にあるときの同可動役物装置の正面図である。
【図９】第１の揺動部材が揺動の復路の途中にあるときの同可動役物装置の正面図である。
【図１０】第１の揺動部材が連結解除直前の位置にあるときの同可動役物装置の正面図である。
【図１１】第１の揺動部材が連結解除位置にあるときの同可動役物装置の正面図である。
【図１２】（ａ）は図１０のXII-XII線矢視図、（ｂ）は（ａ）の状態から第１の揺動部材がさらに揺動したときの図、（ｃ）は（ｂ）の状態から第１の揺動部材がさらに揺動したときの図である。
【図１３】第１実施形態に係るパチンコ遊技機の正面図であり、揺動の往路における役物部の動きを示す図である。
【図１４】第１実施形態に係るパチンコ遊技機の正面図であり、揺動の復路における役物部の動きを示す図である。
【図１５】第２実施形態に係る可動役物装置の分解斜視図である。
【図１６】第１の揺動部材が第１の位置にあるときの同可動役物装置の正面図である。
【図１７】第１の揺動部材が単独揺動開始位置にあるときの同可動役物装置の正面図である。
【図１８】第１の揺動部材が単独揺動の途中にあるときの同可動役物装置の正面図である。
【図１９】第１の揺動部材が連結位置にあるときの同可動役物装置の正面図である。
【図２０】第１の揺動部材が揺動の復路の途中にあるときの同可動役物装置の正面図である。
【図２１】第１の揺動部材が連結解除位置にあるときの同可動役物装置の正面図である。
【図２２】第１の揺動部材が連結解除直後の位置にあるときの同可動役物装置の正面図である。
【図２３】第２実施形態の変形例で、（ａ）は第２の揺動部材が第２のストッパに当接したときの要部斜視図、（ｂ）はレール形成部が被押圧部に乗り上げたときの要部斜視図である。
【図２４】第２実施形態の変形例で、レール形成部が被押圧部に乗り上げたときの可動役物装置の正面図である。
【図２５】第２実施形態の変形例で、第１の揺動部材が第２の位置まで揺動したときの可動役物装置の正面図である。
【発明を実施するための形態】
【００１５】
〈第１実施形態〉
本発明の第１実施形態に係るパチンコ遊技機について、図１〜１４に基づいて説明する。
【００１６】
図１に示すように、第１実施形態のパチンコ遊技機は、枠ランプ１７及びスピーカ１８が配設された前面枠１０と、前面枠１０の内側に配設された遊技盤１とを備え、遊技盤１には遊技球が流下する遊技領域２が形成されている。遊技領域２には、ゲート８、電動チューリップ５を備えた始動入賞装置４、大入賞装置７、及び、普通入賞装置９が配設されている。遊技領域２の中央部には中央役物装置１１が配設され、中央役物装置１１には、画像表示器６の液晶画面６ａ、及び、可動役物装置３が配設されている。可動役物装置３は、演出のために遊技者に見せる部分である役物部７０を備えている。また、遊技領域２の外側には、普通図柄表示器１３、特別図柄表示器１４、普通図柄保留ランプ１５、及び、特別図柄保留ランプ１６が配設されている。
【００１７】
図２に示すように、実施形態のパチンコ遊技機の電気系統は、主制御基板２０、払出制御基板２１、演出制御基板２２、画像制御基板２３、及び、ランプ制御基板２４を備えている。主制御基板２０には、払出制御基板２１、及び、演出制御基板２２が接続されるとともに、始動入賞装置４に設けられた始動口ＳＷ（スイッチ）４ａ、電動チューリップ５を作動させる電チューソレノイド５ａ、ゲート８に設けられたゲートＳＷ８ａ、大入賞装置７に設けられた大入賞口ＳＷ７ａ、大入賞装置７を作動させる大入賞口ソレノイド７ｂ、普通入賞装置９に設けられた普通入賞口ＳＷ９ａ、特別図柄保留ランプ１６、普通図柄保留ランプ１５、特別図柄表示器１４、及び、普通図柄表示器１３がそれぞれ接続されている。
【００１８】
また、演出制御基板２２には、画像制御基板２３及びランプ制御基板２４が接続され、画像制御基板２３には、画像表示器６及びスピーカ１８が接続され、ランプ制御基板２４には、枠ランプ１７、及び、可動役物装置３が接続されて、可動役物装置３はランプ制御基板２４から受信した信号に従って作動する。払出制御基板２１には、遊技球払出装置（図示せず。）を駆動する払出駆動モータ２６が接続されている。
【００１９】
可動役物装置３は、図３、４に示すように、駆動手段であるモータ３１と、第１の揺動部材５０と、第２の揺動部材４０と、役物部７０とを備えている。モータ３１は、正逆回転可能なステッピングモータであり、中央役物装置１１のベース板部１２の後面側に固定されて、その回転軸はベース板部１２を貫通している。モータ３１の回転軸には駆動ギヤ３４が固定され、駆動ギヤ３４に噛み合う第１の従動ギヤ３５、第１の従動ギヤ３５と同軸の第２の従動ギヤ３６、第２の従動ギヤ３６に噛み合う第３の従動ギヤ３７が、それぞれ設けられて、第３の従動ギヤ３７の回転軸３７ａに第１の揺動部材５０が固定されている。なお、第１の従動ギヤ３５と第２の従動ギヤ３６とは、互いに重ねられ係合された二重ギヤを構成している。第３の従動ギヤ３７は、外周の略半分にのみ歯を有し、歯が無い部分の所定位置にスリット３８が形成され、スリット３８をフォトセンサ３９で検出することにより、第３の従動ギヤ３７が初期位置にあることを検出可能とされている。
【００２０】
なお、本明細書において、前後、上下とは、遊技盤１を使用時のように立てた状態における前後（なお、遊技領域２側を前、その反対側を後とする。）、上下をそれぞれいうものとする。また、左右とは、遊技盤１に向かって左右をいうものとする。
【００２１】
駆動ギヤ３４、第１の従動ギヤ３５、第２の従動ギヤ３６、及び、第３の従動ギヤ３７は、ベース板部１２の前面に取り付けられたカバー部８０で覆われて、ベース板部１２とカバー部８０との間に配設されている。カバー部８０の前面には、後述する第３の揺動部材６５の揺動端部６５ｂを押圧する押圧手段となる押圧部８１、第１の揺動部材５０と当接してその揺動を停止させる第１のストッパ８２、及び、第２の揺動部材４０と当接してその揺動を停止させる第２のストッパ８３が、それぞれ設けられている。押圧部８１は、カバー部８０の前面から前方に突出する柱部８１ａと、柱部８１ａの先端部に設けられて、柱部８１ａと直角をなす三角柱状の突起部８１ｂとからなる。第１のストッパ８２及び第２のストッパ８３は、いずれも略コ字形状にカバー部８０の前面から突出しており、第１のストッパ８２の突出高さは第１の揺動部材５０に当接する高さとされ、第２のストッパ８３の突出高さは第２の揺動部材４０には当接するが、第１の揺動部材５０には当接しない高さとされている。
【００２２】
第２の揺動部材４０は、略扇形状をなして、その扇形の中心に設けられた孔４１に、第３の従動ギヤ３７の回転軸３７ａが挿通され、回転軸３７ａを中心に揺動可能とされて、第１の揺動部材５０の後面側に重なった状態に配置されている。なお、回転軸３７ａは孔４１に固定されていない。第２の揺動部材４０には、外周部において扇形の弧に相当する円弧状の部分に、第１のラック部４２が形成されている。すなわち、第２の揺動部材４０には、回転軸３７ａを中心とする円弧状の第１のラック部４２が形成されている。また、第２の揺動部材４０には、外周部において扇形の半径に相当する上下の端縁４０ａ、４０ｂのうち、下の端縁４０ｂに、前方に突出する係着部４３が設けられている。係着部４３は、後述する連結部６０と共に連結手段を構成する。
【００２３】
第２の揺動部材４０の後面には、後方に突出するばね取付部４４が設けられ、ばね取付部４４には、ベース板部１２とカバー部８０との間に設けられたコイルばね３３の下端部が取り付けられている。コイルばね３３は、第２の揺動部材４０を第１の揺動部材５０に対する所定の初期位置まで揺動させる弾性手段に相当する。カバー部８０には、ばね取付部４４の揺動軌跡に一致する円弧状の長孔８４が形成され、ばね取付部４４は長孔８４に挿通されて、第２の揺動部材４０の揺動とともに、長孔８４内を移動する。コイルばね３３の上端部はベース板部１２に突設されたばね取付部３２に取り付けられている。
【００２４】
第１の揺動部材５０は、ベース部５８と、ベース部５８から前方に突設された円筒状の軸部５７と、ベース部５８の外周部に設けられたレール形成部５１と、連結部６０とを備え、軸部５７に回転軸３７ａが挿通され固定されて、モータ３１の回転により回転軸３７ａを中心に揺動可能とされている。レール形成部５１には、長さ方向に沿った両端部に、前方に突出するとともに円弧状に延びるレール部５２、５２が形成され、レール部５２、５２間は一定の幅とされて、レール部５２、５２間には、レール部５２、５２に平行な円弧状の長孔５６が形成されている。レール形成部５１の後面側には、第１のラック部４２に噛み合うように第１のピニオン５３が配置され、前面側には第２のピニオン５４が配置されて、第１のピニオン５３と第２のピニオン５４とはレール形成部５１を貫通する軸５５に固定されている。
【００２５】
連結部６０は、ベース部５８から外側に突設されたベース部６１と、第１の揺動部材５０の揺動面に対して平行にベース部６１に固定された揺動軸６４と、揺動軸６４を中心に前後方向に揺動する第３の揺動部材６５と、ベース部６１と第３の揺動部材６５との間に配置されたコイルばね６３とを備えている。第３の揺動部材６５は、第１の揺動部材５０の揺動に伴って回転軸３７ａを中心として揺動するときに、揺動軸６４を中心とする両側の揺動端部６５ａ、６５ｂが略同じ軌跡上を通るように、配置されている。そして、第３の揺動部材６５の回転軸３７ａを中心とする揺動軌跡に沿った方向において、係着部４３に近い方の揺動端部６５ａに、係着部４３に係着される被係着部６６が形成され、遠い方の揺動端部６５ｂに、押圧部８１に押圧される被押圧部６８が突設されている。
【００２６】
また、揺動端部６５ｂとベース部６１との間にはコイルばね６３が設けられている。詳しくは、ベース部６１には前方に突出するばね挿入部６２が設けられて、ばね挿入部６２はコイルばね６３の中心に挿入され、ばね挿入部６２の先端部は揺動端部６５ｂに形成された孔６７に挿入されている。このため、コイルばね６３は、揺動端部３５ｂを前方に付勢し、逆に揺動端部３５ａを後方に付勢することとなり、被係着部６６を係着部４３に係着する方向に揺動端部３５ａを付勢する付勢手段に相当する。
【００２７】
役物部７０は、ボクシングのグローブを嵌めた左腕の形状を模したものであり、第１の揺動部材５０にスライド可能に装着されている。詳しくは、役物部７０の後面には、レール部５２、５２間の幅より若干狭い所定の幅で離間した一対の突条部７１が、腕の長さ方向に沿って円弧状に延設されている。そして、図５に示すように、突条部７１、７１がレール部５２、５２の内側に嵌合され、レール部５２、５２の内側を摺動することにより、役物部７０は、レール部５２、５２に沿ってスライド可能である。なお、役物部７０の後面には、ねじ孔を有する２つの突起部７３が設けられ、突起部７３、７３は第１の揺動部材５０の長孔５６に挿入される。そして、外れ止め部材７５が、第１の揺動部材５０を挟むように、第１の揺動部材５０の後面側から突起部７３、７３にねじ止めされることにより、役物部７０が第１の揺動部材５０から外れてしまうことが防止される。
【００２８】
また、役物部７０の後面には、突条部７１、７１と平行な円弧状の第２のラック部７２及び凹部７４が形成され、図５に示すように、突条部７１、７１をレール部５２、５２の内側に嵌合することにより役物部７０を第１の揺動部材５０に装着したとき、第２のピニオン５４の軸５５の先端部は、凹部７４内に配置され、第２のピニオン５４は第２のラック部７２に噛み合う。なお、役物部７０のスライド方向は突条部７１、７１の延設方向（長さ方向）に一致し、第２のラック部７２は、突条部７１、７１に平行に形成されていることから、役物部７０のスライド方向に沿って形成されていることとなる。
【００２９】
以上のように構成された可動役物装置３の動作について、次に説明する。
【００３０】
図４は、初期状態（初期位置にある状態）の可動役物装置３の正面図であり、図４に示すように、スリット３８がフォトセンサ３９により検出される位置（すなわち、スリット３８がフォトセンサ３９のセンサ部分に対向する位置）にあるときが、可動役物装置３の初期状態である。このとき、第１の揺動部材５０のベース部５８が第１のストッパ８２に当接しており、第１の揺動部材５０は、それ以上、左回り（反時計回り）方向へは揺動できない。図４に示すように、第１の揺動部材５０が第１のストッパ８２に当接しているときの位置が、第１の位置に相当する。
【００３１】
第１の揺動部材５０が第１の位置にあるとき、第２の揺動部材４０には、コイルばね３３で引っ張られることにより、右回り（時計回り）方向へ揺動させようとする力が働いているが、係着部４３が第１の揺動部材５０の縁に当接しているため、第２の揺動部材４０は右回り方向へは揺動できず、停止している。この係着部４３が第１の揺動部材５０の縁に当接しているときの位置が、第２の揺動部材４０の第１の揺動部材５０に対する初期位置に相当する。
【００３２】
第２の揺動部材４０が第１の揺動部材５０に対する初期位置にあるとき、第１のピニオン５３は、第１のラック部４２の一端部（左下の端部）４２ａ付近に位置し、第２のピニオン５４は、第２のラック部７２の一端部（役物部７０の先端部に近い方の端部）７２ａ付近に位置しており、役物部７０は、レール形成部５１との重なりが最も大きい状態、すなわち、最も縮んだ（引っ込んだ）状態になっている。第１の揺動部材５０が第１の位置にあるとき、図１の点線で示すように役物部７０は遊技者からは見えない。
【００３３】
モータ３１は、図４に示す状態から、駆動ギヤ３４を右回りに回転させるように駆動し、第１の従動ギヤ３５及び第２の従動ギヤ３６は左回りに、第３の従動ギヤ３７は右回りに回転する。これに伴って、第１の揺動部材５０は、図４に示す第１の位置から、図６、７、８というように右回り方向に揺動する。第１の揺動部材５０が右回り方向に揺動している間が、揺動の往路である。
【００３４】
揺動の往路について詳説すると、第１の揺動部材５０が第１の位置から図６に示す位置まで揺動する間、第２の揺動部材４０は、コイルばね３３に引っ張られているので、第１の揺動部材５０と共に右回り方向に揺動し、しかも、係着部４３が第１の揺動部材５０の縁に当接していることから、第１の揺動部材５０と第２の揺動部材４０との相対位置は変わらない。このため、第１の揺動部材５０に取り付けられている第１のピニオン５３は、第２の揺動部材４０に形成されている第１のラック部４２を移動せず、回転しない。したがって、第２のピニオン５４も回転せず、役物部７０はスライドしない。すなわち、役物部７０は最も縮んだ状態のまま、右回り方向へ揺動する。
【００３５】
第１の揺動部材５０が図６に示す位置に至ったとき、第２の揺動部材４０は、上の端縁４０ａが第２のストッパ８３に当接して、揺動が規制されて停止する。図６に示すように、第２の揺動部材４０が第２のストッパ８３に当接したときの第１の揺動部材５０の位置は、第１の揺動部材５０のみが揺動を開始する位置である単独揺動開始位置に相当する。
【００３６】
第１の揺動部材５０は、図６に示す単独揺動開始位置から、図７に示すように、さらに右回り方向に揺動するが、第２の揺動部材４０は第２のストッパ８３により規制されて揺動しない。このため、第１のピニオン５３が回転しながら第１のラック部４２を他端部４２ｂの方向へ移動し、これに伴って第２のピニオン５４も回転して、第２のラック部７２を図７の二点鎖線矢印に示す方向へ移動させる。したがって、役物部７０は、第１の揺動部材５０と共に右回り方向へ揺動しつつ、レール形成部５１上をスライドして、第１の揺動部材５０から徐々に伸びる（突出する）こととなる。
【００３７】
そして、第１の揺動部材５０のみが右回り方向への揺動を続けると、ついには、揺動端部６５ａが第２の揺動部材４０に当接し、図８に示すように、揺動端部６５ａが係着部４３に乗り上げて（重なって）、コイルばね６３の付勢力により被係着部６６が係着部４３に係着され、第１の揺動部材５０と第２の揺動部材４０とが連結される。図８に示すように、第１の揺動部材５０の被係着部６６が係着部４３に係着されたときの位置が、連結位置に相当する。
【００３８】
第１の揺動部材５０が連結位置に達したとき、図８に示すように、第１のピニオン５３は第１のラック部４２の他端部（右上の端部）４２ｂ付近まで移動し、これに伴って第２のピニオン５４も、第２のラック部７２の他端部（役物部７０の先端部から遠い方の端部）７２ｂ付近まで移動している。したがって、役物部７０は、第１の揺動部材５０から最も伸びた状態となっている。
【００３９】
第１の揺動部材５０と第２の揺動部材４０とが連結されると、モータ３１は、駆動ギヤ３４を左回りに回転させるように駆動し、第１の従動ギヤ３５及び第２の従動ギヤ３６は右回りに、第３の従動ギヤ３７は左回りに回転する。これに伴って、第１の揺動部材５０は、図８に示す位置から、図９、１０、１１というように左回り方向に揺動し、図４に示す第１の位置に戻る。第１の揺動部材５０が左回り方向に揺動している間が、揺動の復路である。なお、第１の揺動部材５０と第２の揺動部材４０とが連結されたとき、駆動ギヤ３４の右回りの回転をすぐに停止できなくても、第２の揺動部材４０の右回り方向への揺動が規制されるとともに、連結部６０のベース部６１が第２の揺動部材４０に当接しているため、第１の揺動部材５０も右回り方向へはそれ以上揺動できない。すなわち、図８に示すように、第１の揺動部材５０が第２の揺動部材４０と連結されたときの位置は、第１の揺動部材５０の右回り方向への揺動の限界位置であり、第２の位置に相当する。本実施形態では、第２の位置は連結位置と同位置である。
【００４０】
揺動の復路について詳説すると、図８に示す位置から図１０に示す位置までは、図９に示すように、第２の揺動部材４０は第１の揺動部材５０と連結されたままであることから、第１の揺動部材５０と共に揺動し、第２の揺動部材４０と第１の揺動部材５０との相対位置は変わらない。このため、第１のピニオン５３は、第１のラック部４２を移動せず、回転しない。したがって、第２のピニオン５４も回転せず、役物部７０は、スライドすることなく、最も伸びた状態を維持したまま左回り方向に揺動することとなる。
【００４１】
図１０に示す位置は、第１の揺動部材５０と第２の揺動部材４０との連結が解除される直前の位置である。第１の揺動部材５０は、図１０に示す位置から、さらに左回り方向に揺動するので、図１１に示すように、第３の揺動部材６５の揺動端部６５ｂにある被押圧部６８が、押圧部８１の突起部８１ｂの後方に至る。すると、突起部８１ｂで被押圧部６８が押圧されることにより、コイルばね６３の付勢力に抗して、揺動端部６５ｂが後方に揺動するとともに、揺動端部６５ａが前方に揺動し、被係着部６６が係着部４３から外れる。したがって、第１の揺動部材５０と第２の揺動部材４０との連結が解除され、第２の揺動部材４０はコイルばね３３に引っ張られて、右回り方向へ揺動し、図１１に示すように、第１の揺動部材５０に対する初期位置まで戻る。このとき、第１のピニオン５３は、回転しながら、第１のラック部４２の他端部４２ｂ付近から一端部４２ａ付近まで移動するので、第２のピニオン５４も、回転しながら、第２のラック部７２の他端部７２ｂ付近から一端部７２ａ付近まで移動し、これに伴って、役物部７０はレール形成部５１上を、第１の揺動部材５０から伸びる方向とは逆方向にスライドして、第１の揺動部材５０の方へ縮む（引っ込む）こととなる。なお、第１の揺動部材５０と第２の揺動部材４０との連結が解除されると、コイルばね６３により極短時間で（一気に）第２の揺動部材４０が第１の揺動部材５０に対する初期位置に戻るので、役物部７０は一気に引っ込むこととなる。図１１に示すように、被押圧部６８が押圧部８１の突起部８１ｂの後方に至ったときの第１の揺動部材５０の位置が、連結解除位置に相当する。
【００４２】
図１２に基づいて、第１の揺動部材５０と第２の揺動部材４０との連結の解除について詳説する。図１２（ａ）は、図１０のXII-XII線矢視図であり、被係着部６６が係着部４３に係着されており、第１の揺動部材５０と第２の揺動部材４０とは連結されている。第１の揺動部材５０は、図１２（ａ）に示す位置から、さらに左回り方向（図１２紙面上、右方向）に揺動する。すると、被押圧部６８が、押圧部８１の突起部８１ｂの斜面に沿って突起部８１ｂの後方（図１２紙面上、下方）に潜り込み、突起部８１ｂに押圧されるので、コイルばね６３の付勢力に抗して、揺動端部６５ｂが後方に揺動するとともに、揺動端部６５ａが前方（図１２紙面上、上方）に揺動する。したがって、被係着部６６が係着部４３から外れて、第１の揺動部材５０と第２の揺動部材４０との連結が解除される。第１の揺動部材５０との連結が解除されると、第２の揺動部材４０は、コイルばね３３に引っ張られて、右回り方向（図１２紙面上、左方向）へ揺動する。一方、第１の揺動部材５０は左回り方向への揺動を続けるので、図１２（ｃ）のような状態となる。
【００４３】
第１の揺動部材５０は、第２の揺動部材４０との連結が解除された後も、第１のストッパ８２に当接するまで、左回り方向に揺動する。このとき、第１の揺動部材５０の縁が係着部４３に当接していることから、第２の揺動部材４０も第１の揺動部材５０と共に揺動し、第１の揺動部材５０と第２の揺動部材４０との相対位置は変わらない。第１の揺動部材５０が第１のストッパ８２に当接する位置に至ったとき、図４に示すように、スリット３８がフォトセンサ３９によって検出されるので、モータ３１は、駆動ギヤ３４の左回りの回転を停止する。このため、第１の揺動部材５０は、左回り方向への揺動を停止する。
【００４４】
以上説明した可動役物装置３の一連の動作を、図１、１３、１４を用いて説明する。図１に示すように、可動役物装置３が初期状態にあるとき、役物部７０は遊技者からは見えない。なお、このときの役物部７０の状態は、図４に示す状態に相当する。
【００４５】
図１３は、揺動の往路における役物部７０の動きを示す図であり、各状態の役物部７０を区別するために、役物部７０にＡ〜Ｃの符号を付しており、役物部７０Ａは図６、役物部７０Ｂは図７、役物部７０Ｃは図８に示す状態に相当する。役物部７０は、図１に示すように遊技者に見えない状態から、図１３の役物部７０Ａ、７０Ｂ、７０Ｃに示すように、右回り方向へ揺動しながら、徐々に遊技者に見える部分が多くなるように伸びていく。役物部７０Ｃは、最も伸びた状態である。
【００４６】
図１４は、揺動の復路における役物部７０の動きを示す図であり、各状態の役物部７０を区別するために、役物部７０にＣ〜Ｆの符号を付しており、役物部７０Ｃは図８、役物部７０Ｄは図９、役物部７０Ｅは図１０、役物部７０Ｆは図１１に示す状態に相当する。役物部７０は、最も伸びた状態を保ったまま、役物部７０Ｃの状態から、役物部７０Ｄ、７０Ｅに示すように、左回り方向へ揺動する。そして、遊技者から見えなくなってから、役物部７０Ｆに示すように縮んで、その後、図１に示す初期位置に戻る。
【００４７】
以上述べたように、第１実施形態のパチンコ遊技機によれば、モータ３１が駆動することにより、第１の揺動部材５０が単独揺動開始位置から連結位置まで所定方向（本実施形態では右回り方向）へ揺動する間、第２の揺動部材４０の揺動が規制されて、第１のピニオン５３が、回転しつつ、第１のラック部４２を一端部４２ａから他端部４２ｂに向かう方向に移動する。このため、第２のピニオン５４も回転して、第２のピニオン５４に噛み合う第２のラック部７２が形成された役物部７０は、第１の揺動部材５０に対してスライドし、このスライド方向が第１の揺動部材５０から突出する方向であることから、役物部７０は、第１の揺動部材５０と共に揺動しつつ、徐々に第１の揺動部材５０から伸びることとなる。
【００４８】
そして、第１の揺動部材５０が連結位置に達したときに、第１の揺動部材５０と第２の揺動部材４０とが連結され、モータ３１が駆動することにより、第１の揺動部材５０が連結位置から連結解除位置まで上記所定方向とは逆方向（本実施形態では左回り方向）へ揺動する間、第１の揺動部材５０と第２の揺動部材４０とは共に揺動して、第２の揺動部材４０の第１の揺動部材５０に対する位置は変わらない。このため、第１のピニオン５３及び第２のピニオン５４は回転せず、役物部７０は最も伸びた状態を保持したまま、逆方向に揺動することとなる。
【００４９】
さらに、第１の揺動部材５０が連結解除位置に達したときに、第１の揺動部材５０と第２の揺動部材４０との連結が解除されて、コイルばね３３により第２の揺動部材４０が第１の揺動部材５０に対する初期位置まで戻されるので、第１のピニオン５３が、回転しつつ、他端部４２ｂから一端部４２ａに向かう方向に移動する。このため、役物部７０は第１の揺動部材５０に対して上記スライド方向とは逆方向にスライドし、役物部７０は第１の揺動部材５０の方へ縮むこととなる。
【００５０】
このように、第１実施形態のパチンコ遊技機によれば、１つのモータ３１で役物部７０に揺動動作と伸縮動作とを行わせることができるため、揺動と伸縮とを行う可動役物装置３を低コストでかつコンパクトに製造できる。しかも、揺動の往路では、遊技者に見える位置（図６の位置）から徐々に伸びていき、復路では、伸び切った状態のまま戻ってきて遊技者に見えない位置（図１１の位置）で一気に縮むというように、揺動の往路と復路とで異なる動きを実行できるため、ボクシングにおけるボクサーの左腕のガード、ノーガードといった一連の動きを模すことができる等、興趣に富んだ演出を行うことができる。
【００５１】
〈第２実施形態〉
次に、本発明の第２実施形態に係るパチンコ遊技機について、図１５〜２２に基づいて説明する。なお、第２実施形態において、第１実施形態の構成要素に対応する構成要素については同じ符号を用いて、その説明を適宜省略する。また、第２実施形態に係るパチンコ遊技機の全体構成及び電気系統は、図１、２に示す第１実施形態と同様であるので省略する。
【００５２】
第２実施形態の可動役物装置３では、図１５、１６に示すように、カバー部８０の前面に、第１のストッパ８２、及び、第２のストッパ８３が、それぞれ設けられているが、押圧部８１は設けられていない。また、カバー部８０の前面には、前方に突出する略コ字形状の第３のストッパ８５が設けられ、第３のストッパ８５の突出高さは第２の揺動部材４０には当接するが、第１の揺動部材５０には当接しない高さとされている。
【００５３】
また、第１の揺動部材５０は、ベース部５８と、軸部５７と、レール形成部５１と、連結部６０とを備えている。ベース部５８の前面には、ばね取付部５９が突設され、ばね取付部５９にはコイルばね４９の上端部が取り付けられている。第１実施形態とは異なり、連結部６０は、軸部５７から第１の揺動部材５０の揺動半径に沿ってレール形成部５１側とは反対側に突設され、連結部６０には、吸着部に相当する第１の永久磁石６９が固定されている。
【００５４】
第２の揺動部材４０は、略扇形状をなして、下の端縁４０ｂには、第１実施形態とは異なり係着部４３は設けられてなく、被吸着部に相当する第２の永久磁石４５が設けられている。第２の永久磁石４５は、第１の永久磁石６９が第１の揺動部材５０の揺動に伴って回転軸３７ａを中心として揺動するときの揺動軌跡上に配置され、第１の永久磁石６９と共に、第１の揺動部材５０と第２の揺動部材４０とを連結する連結手段を構成する。
【００５５】
第２の揺動部材４０の前面には、揺動規制部４７とばね取付部４６とが突設され、ばね取付部４６にはコイルばね４９の下端部が取り付けられている。第２の揺動部材４０の後面にはばね取付部４４が突設され、ばね取付部４４には、コイルばね３３の下端部が取り付けられている。コイルばね３３の上端部は、ベース板部１２に突設されたばね取付部３２に取り付けられている。コイルばね３３は、コイルばね４９と共に、第２の揺動部材４０を第１の揺動部材５０に対する所定の初期位置まで揺動させる弾性手段を構成する。
【００５６】
第２実施形態の上述した部分以外の部分は、第１実施形態と略同じ構成とされているので、その説明を省略する。
【００５７】
以上のように構成された可動役物装置３の動作について、次に説明する。
【００５８】
図１６は、初期状態にある可動役物装置３の正面図である。このとき、第１の揺動部材５０は、連結部６０が第１のストッパ８２に当接した第１の位置にあり、それ以上、左回り方向へは揺動できない。
【００５９】
第１の揺動部材５０が第１の位置にあるとき、第２の揺動部材４０には、コイルばね３３で引っ張られることにより、右回り方向へ揺動させようとする力が働いているが、揺動規制部４７が第１の揺動部材５０の縁に当接しているため、第２の揺動部材４０は右回り方向へは揺動できず、停止している。揺動規制部４７が第１の揺動部材５０の縁に当接しているときの位置が、第２の揺動部材４０の第１の揺動部材５０に対する初期位置に相当する。なお、コイルばね４９は、第２の揺動部材４０が、自重によりコイルばね３３の弾性力に抗して、第１の揺動部材５０に対する初期位置から左回り方向へ揺動してしまうことを防止している。
【００６０】
第２の揺動部材４０が第１の揺動部材５０に対する初期位置にあるとき、第１のピニオン５３は、第１のラック部４２の一端部４２ａ付近に位置し、第２のピニオン５４は、第２のラック部７２の一端部７２ａ付近に位置して、役物部７０は、最も縮んだ状態になっている。
【００６１】
第１の揺動部材５０は、モータ３１が駆動することにより、図１６に示す第１の位置から、図１７、１８、１９というように右回り方向に揺動する。右回り方向への揺動について詳説すると、第１の揺動部材５０が第１の位置から図１７に示す位置まで揺動する間、第２の揺動部材４０は、コイルばね３３及びコイルばね４９に引っ張られているので、第１の揺動部材５０と共に右回り方向に揺動し、第１の揺動部材５０と第２の揺動部材４０との相対位置は変わらない。このため、第１のピニオン５３は第１のラック部４２を移動せず、回転しない。したがって、第２のピニオン５４も回転せず、役物部７０はスライドしない。第１の揺動部材５０が図１７に示す位置に至ったとき、第２の揺動部材４０は、上の端縁４０ａが第２のストッパ８３に当接して、揺動が規制されて停止する。図１７に示す位置は、第１の揺動部材５０の単独揺動開始位置に相当する。
【００６２】
第１の揺動部材５０は、図１７に示す単独揺動開始位置からさらに右回り方向に揺動するが、第２の揺動部材４０は揺動しないため、第１のピニオン５３が回転しながら第１のラック部４２を他端部４２ｂの方向へ移動し、これに伴って第２のピニオン５４も回転して、第２のラック部７２を図１８の二点鎖線矢印に示す方向へ移動させる。したがって、役物部７０は、第１の揺動部材５０と共に右方向へ揺動しつつ、レール形成部５１上をスライドして、第１の揺動部材５０から伸びる（突出する）こととなる。
【００６３】
図１８の状態から第１の揺動部材５０は右回り方向への揺動を続けるので、図１９に示すように、ついには、第１の永久磁石６９と第２の永久磁石４５とが接触して、第１の永久磁石６９が第２の永久磁石４５に吸着され、第１の揺動部材５０と第２の揺動部材４０とが連結される。図１９に示すように、第１の永久磁石６９と第２の永久磁石４５とが接触したときの位置が、連結位置に相当する。第１の揺動部材５０が単独揺動開始位置から連結位置まで揺動したとき、第１のピニオン５３は第１のラック部４２の他端部４２ｂ付近まで移動し、これに伴って第２のピニオン５４も第２のラック部７２の他端部７２ｂ付近まで移動する。このため、役物部７０は、第１の揺動部材５０から最も伸びた状態となる。
【００６４】
図１９の位置からは、モータ３１は、駆動ギヤ３４の左回りの回転を開始する。これに伴って、第１の揺動部材５０も左回り方向への揺動を開始し、図１９に示す状態から、図２０、２１、２２というように左回り方向へ揺動して、図１６に示す第１の位置に戻る。図１９に示す位置は、第１の揺動部材５０の右回り方向への揺動の限界位置であり、第２の位置にも相当する。本実施形態においても、第２の位置は連結位置と同位置である。
【００６５】
左回り方向への揺動について詳説すると、図２１に示す位置に至るまでは、図２０に示すように、第２の揺動部材４０は第１の揺動部材５０と連結されたままであることから、第１の揺動部材５０と共に揺動し、第２の揺動部材４０と第１の揺動部材５０との相対位置は変わらない。このため、第１のピニオン５３及び第２のピニオン５４は回転せず、役物部７０は最も伸びた状態を維持したまま左回り方向に揺動する。
【００６６】
図２１に示す位置に至ると、第２の揺動部材４０は、下の端縁４０ｂが第３のストッパ８５に当接し、それ以上、左回り方向へ揺動することができない。したがって、図２１に示す位置からは、第１の揺動部材５０のみが左回り方向に揺動するため、第１の永久磁石６９と第２の永久磁石４５とが離間して、第１の揺動部材５０と第２の揺動部材４０との連結が解除される。すなわち、図２１に示すように、第２の揺動部材４０の下の端縁４０ｂが第３のストッパ８５に当接したときの第１の揺動部材５０の位置は、連結解除位置に相当する。
【００６７】
第１の揺動部材５０と第２の揺動部材４０との連結が解除されると、第２の揺動部材４０はコイルばね３３及びコイルばね４９に引っ張られて、右回り方向へ揺動し、図２２に示すように、第１の揺動部材５０に対する初期位置まで戻る。このとき、第１のピニオン５３は、回転しながら、第１のラック部４２の他端部４２ｂ付近から一端部４２ａ付近まで移動するので、第２のピニオン５４も、回転しながら、第２のラック部７２の他端部７２ｂ付近から一端部７２ａ付近まで移動し、これに伴って、役物部７０はレール形成部５１上を、第１の揺動部材５０から伸びる方向とは逆方向にスライドして、第１の揺動部材５０の方へ縮む（引っ込む）こととなる。
【００６８】
第１の揺動部材５０と第２の揺動部材４０との連結が解除された後も、第１の揺動部材５０は左回り方向へ揺動する。第１の揺動部材５０の縁が揺動規制部４７に当接していることから、第２の揺動部材４０も第１の揺動部材５０と共に揺動し、第２の揺動部材４０は第１の揺動部材５０に対する初期位置を保持したままである。やがて、第１の揺動部材５０は、第１のストッパ８２に当接して、すなわち、図１６に示す第１の位置まで戻って揺動を停止する。
【００６９】
このように、第２実施形態のパチンコ遊技機によれば、第１実施形態と同様に、１つのモータ３１で役物部７０が揺動と伸縮とを行い、しかも、揺動の往路と復路とで異なる動きを行う。このため、揺動と伸縮とを行う可動役物装置３を低コストでかつコンパクトに製造できるとともに、興趣に富んだ演出を行うことができる。また、第２実施形態では、第１の永久磁石６９及び第２の永久磁石４５を連結手段として用いているため、連結の不具合や故障の虞が少なくなる。
【００７０】
なお、第１の永久磁石６９及び第２の永久磁石４５のいずれか一方を、鉄等の磁石に吸着される金属としてもよい。また、第１の永久磁石６９や第２の永久磁石４５、あるいは、それらのいずれかの代わりに用いる鉄等の金属を、磁力による吸着を妨げないような薄いカバーで覆ってもよい。要するに、第１の揺動部材５０と第２の揺動部材４０の一方に、永久磁石を備えた吸着部を設け、他方に、その永久磁石に磁力で吸着される被吸着部を設ければよい。
【００７１】
〈その他の変形例〉
第１、２実施形態では、いずれも、連結位置を、第２の位置と同位置としたが、単独揺動開始位置と第２の位置との間にあるものとしてもよい。かかる例を第２実施形態の変形例として、図２３〜２５を用いて説明する。なお、第２実施形態の構成要素に対応する構成要素については同じ符号を用いて、その説明を適宜省略する。
【００７２】
本変形例では、図２３（ａ）に示すように、第２のストッパ８３が、ベース部８３ａと、ベース部８３ａから前方に突設された突出壁部８３ｂと、突出壁部８３ｂと略直角をなしてベース部８３ａから前方に突設された被押圧部８３ｃとから構成されている。そして、第２のストッパ８３は、ベース部８３ａの後面側に取り付けられたコイルばね８６により前方に付勢され、カバー部８０の前壁部に形成された略Ｌ字形状の孔８７から、突出壁部８３ｂと被押圧部８３ｃとを突出させている。被押圧部８３ｃの前面は、左方程突出高さが低くなるように傾斜した曲面状とされ、最も突出高さが高い部分は、突出壁部８３ｂの突出高さよりも高くされている。また、突出壁部８３ｂは、第２の揺動部材４０の上の端縁４０ａが当接するように、被押圧部８３ｃは、第２の揺動部材４０の上の端縁４０ａが突出壁部８３ｂに当接したときに、第２の揺動部材４０の外周部の円弧状の部分に略沿って突出するように、配置されている。なお、後述するように第１の揺動部材５０により被押圧部８３ｃが押し込まれたとき、突出壁部８３ｂは、第２の揺動部材４０の上の端縁４０ａに当接しない位置まで引っ込むように、突出高さが設定されている。また、第１のストッパ８２は、第１の揺動部材５０の後述する第２の位置までの右回り方向への揺動を妨げないように、第１の揺動部材５０の連結部６０には当接するが、ベース部５８には当接しない突出高さとされている。
【００７３】
本変形例の可動役物装置３の動作について説明すると、第２の揺動部材４０は、図２３（ａ）に示すように、上の端縁４０ａが突出壁部８３ｂに当接して、右回り方向への揺動が規制される。そして、第１の揺動部材５０が単独で右回りへの揺動を継続するが、やがては、図２４に示すように第１の揺動部材５０と第２の揺動部材４０とが連結されるとともに、図２３（ｂ）に示すように、第１の揺動部材５０のレール形成部５１（図２３では、二点鎖線で示す。）が、被押圧部８３ｃの前面に沿って被押圧部８３ｃに乗り上げて、第２のストッパ８３をコイルばね８６の付勢力に抗して後方へ押し込む。すると、突出壁部８３ｂが第２の揺動部材４０に当接しない位置まで引っ込むため、第２の揺動部材４０は再び右方向へ揺動可能となる。
【００７４】
本変形例の可動役物装置３では、図２４に示す位置から、さらに第１の揺動部材５０が右回り方向へ揺動するので、第２の揺動部材４０は第１の揺動部材５０と共にさらに右回り方向へ揺動する。そして、第１の揺動部材５０は、図２５に示す位置で右回り方向への揺動を停止し、左回り方向への揺動を開始する。すなわち、図２５に示す位置が第２の位置であり、連結位置（図２４に示す位置）は、第２の位置と同位置ではなく、単独揺動開始位置と第２の位置との間にあることとなる。なお、単独揺動開始位置は、第２実施形態の図１７に示す位置と同様に、第２の揺動部材４０が第２のストッパ８３に当接したときの位置である。
【００７５】
また、第１、２実施形態では、いずれも、単独揺動開始位置を、第１の位置と第２の位置との間にあるものとしたが、第１の位置と同位置としてもよい。かかる例を第１実施形態の変形例として説明すれば、図４の状態（第１の揺動部材５０が第１の位置にある状態）において、第２のストッパ８３が第２の揺動部材４０に当接するように構成すれば、単独揺動開始位置は第１の位置と同位置になる。
【００７６】
さらに、第１、２実施形態では、いずれも、連結解除位置を、第１の位置と単独揺動開始位置との間にあるものとしたが、第１の位置と同位置としてもよい。かかる例を第１実施形態の変形例として説明すれば、図４の状態（第１の揺動部材５０が第１の位置にある状態）において、押圧部８１が第３の揺動部材６５の被押圧部６８を押圧するように構成すれば、連結解除位置は第１の位置と同位置になる。
【００７７】
また、第１、２実施形態では、いずれも、第１のピニオン５３に従動する第２のピニオン５４を第２のラック部７２に噛み合わせたが、第１のピニオン５３が直接第２のラック部７２に噛み合うように構成して、第２のピニオン５４を設けないこととしてもよい。
【符号の説明】
【００７８】
３…可動役物装置
３１…モータ（駆動手段）
３３…コイルばね（弾性手段）
３７ａ…回転軸
４０…第２の揺動部材
４２…第１のラック部
４３…係着部
４５…第２の永久磁石（被吸着部）
４９…コイルばね（弾性手段）
５０…第１の揺動部材
５３…第１のピニオン
５４…第２のピニオン
６３…コイルばね（付勢手段）
６５…第３の揺動部材
６５ａ、６５ｂ…揺動端部
６６…被係着部
６９…第１の永久磁石（吸着部）
７０…役物部
７２…第２のラック部
８１…押圧部（押圧手段）
【図１】
2010284427.tif 000003
【図２】
2010284427.tif 000004
【図３】
2010284427.tif 000005
【図４】
2010284427.tif 000006
【図５】
2010284427.tif 000007
【図６】
2010284427.tif 000008
【図７】
2010284427.tif 000009
【図８】
2010284427.tif 000010
【図９】
2010284427.tif 000011
【図１０】
2010284427.tif 000012
【図１１】
2010284427.tif 000013
【図１２】
2010284427.tif 000014
【図１３】
2010284427.tif 000015
【図１４】
2010284427.tif 000016
【図１５】
2010284427.tif 000017
【図１６】
2010284427.tif 000018
【図１７】
2010284427.tif 000019
【図１８】
2010284427.tif 000020
【図１９】
2010284427.tif 000021
【図２０】
2010284427.tif 000022
【図２１】
2010284427.tif 000023
【図２２】
2010284427.tif 000024
【図２３】
2010284427.tif 000025
【図２４】
2010284427.tif 000026
【図２５】
2010284427.tif 000027